(57)【要約】      （修正有）【課題】排水管内に植物が生えることを防止することで、排水効率の低下や排水管の破損及び擁壁全体の見栄えの低下を防ぎ、併せて、着脱が容易で排水管のメンテナンスにも資する排水管用防草キャップを提供する。【解決手段】擁壁に埋設する排水管の排水口に装着する筒状の本体２と、該本体２の内部空間７を軸方向に遮断する遮断板３と、前記本体２の外周面に装着して前記排水口の内周面に対して着脱可能に密着するリング状のシーリング部材５とを備えると共に、前記遮断板３には全体に多数の細孔を穿設することで、排水管内に植物の種子が入り込んで植物が生えることを防止すると共に、前記排水口への着脱も容易となる。【選択図】図８
0003148088.tif 000002
【実用新案登録請求の範囲】
【請求項１】
擁壁に埋設する排水管の排水口に装着する筒状の本体と、該本体の内部空間を軸方向に遮断する遮断板と、前記本体の外周面に装着して前記排水口の内周面に対して着脱可能に密着するリング状のシーリング部材とを備えると共に、前記遮断板には全体に多数の細孔を穿設したことを特徴とする排水管用防草キャップ。
【考案の詳細な説明】
【技術分野】
【０００１】
本考案は、地面に浸透した雨水等を擁壁から外部へ排出する排水管の排水口に装着して、排水管内に植物が生えることを防ぐための排水管用防草キャップに関するものである。
【背景技術】
【０００２】
法面工事の現場において、切土部や盛土部には土留めのために擁壁を施し、更に、土地に浸透した雨水等を排水するために、上記擁壁には排水管を埋設する場合が通常である。
排水管の多くは樹脂製若しくは金属製の筒状物であって、一端側を排水口として擁壁の外部に露出させ、他端側を集水口として擁壁内から土地側へ向かうようにして排水管全体が擁壁内に埋設されるものである。
土地側に向けて埋設される集水口に対しては、土地の土砂が排水管を通して外部へ流出することを防止するために、フィルタを装着することがある。然しながら、排水口に対しては、排水を妨げないようにするため、フィルタ等の部材は装着せずに、筒状物のまま露出させている場合が通常である。
【０００３】
そのため、長年の使用により、排水口から植物の種子が排水管内へ入り込み、排水管内に植物が生えてしまうことが多々ある。排水管内に植物が生えてしまうと、排水効率の低下を招いたり、排水管を破損させたりするばかりか、排水口から伸びる植物が擁壁全体の見栄えを低下させるなどの問題を起こしていた。さらに、一旦植物を生やしてしまうと、除去に手間や費用が掛るだけでなく、除去しても根が残ると再びそこから生えてしまうという問題もあった。
【０００４】
排水管内に異物が入り込むこと防止する方法として、希に樹脂製若しくは金属製のネット部材を排水口の外側に固定している場面も見受けられるが、固定されたネット部材は取り外しが困難であって、排水管のメンテナンスが容易に行えないという問題があった。更に、苦労して取り外したネット部材を再び排水口の外側に固定する作業も決して容易なことではない。
【０００５】
なお、本願考案と同様に、排水管に装着されるキャップとしては、登録実用新案第３０２７２１８号公報に示すような「水抜きパイプ用フィルタ」と称するものが存在するが、このキャップは、土地側の土砂が排水管を通して外部へ流出しないようにすることが目的であるため、土地側に向けて埋設される集水口に装着するものであり、擁壁の外部に露出する排水口に装着するものではない。
【考案の開示】
【考案が解決しようとする課題】
【０００６】
現状の法面工事のように、排水管の排水口を擁壁の外部に露出させたまま完了する状況では、排水口から植物の種子が排水管内へ入り込むことは到底防止できるものではない。また、上記ネット部材などを排水口の外側に固定する方法では、ネット部材の取り外しが困難であるため排水管のメンテナンスに支障を来すこととなる。
そして、上記登録実用新案第３０２７２１８号公報に示すような「水抜きパイプ用フィルタ」は、土地側の土砂が排水管を通して外部へ流出しないようにすることが目的であるため、排水管の集水口に装着するものであるから、いずれにしても排水口から植物の種子が排水管内へ入り込むことを防止できるものではない。
そして、排水口から排水管内へ植物の種子が入り込こむと、排水管内に植物が生えてしまうことで、排水効率の低下を招いたり、排水管を破損させたりするばかりか、排水口から伸びた植物が擁壁全体の見栄えを低下させるなどの問題を起こしていた。また、排水管はメンテナンスが必要なため、取り外しが困難な上記ネット部材を固定するような方法も決して望ましいものではなかった。
【０００７】
本考案は、上記実情に鑑み、排水口から排水管内に植物の種子が入り込んで植物が生えることを防止することで、排水効率の低下や排水管の破損及び擁壁全体の見栄えの低下をも防ぐことができ、併せて、着脱が容易で排水管のメンテナンスにも資する排水管用防草キャップの提供を目的として開発されたものである。
【課題を解決するための手段】
【０００８】
本考案は、斯る従来の課題を有効に解決するために開発されたもので、請求項１記載の排水管用防草キャップは、擁壁に埋設する排水管の排水口に装着する筒状の本体と、該本体の内部空間を軸方向に遮断する遮断板と、前記本体の外周面に装着して前記排水口の内周面に対して着脱可能に密着するリング状のシーリング部材とを備えると共に、前記遮断板には全体に多数の細孔を穿設する構成を採用した。
【考案の効果】
【０００９】
依って、請求項１記載の排水管用防草キャップにあっては、本体を排水管の排水口に装着すると、本体の内部空間を軸方向に遮断する遮断板により、排水口から植物の種子が入り込むことを防止することができる。また、リング状のシーリング部材は、排水管の内周面に対して着脱可能に密着しているので、排水管のメンテナンスをする際には、当該排水管用防草キャップを容易に排水口から取り外すことができる。
これにより、排水管内に植物が生えることを防止して、排水効率の低下や排水管の破損及び擁壁全体の見栄えの低下を防ぐと共に、排水管のメンテナンスにも資することとなる。
なお、遮断板には全体に多数の細孔が穿設されているので、土地側から排水管を通して流出する雨水等は、該細孔を通して排水口から外部へ排出することができる。
【考案を実施するための最良の形態】
【００１０】
以下、本考案を図示する各好適な実施の形態に基づいて詳述する。
第一実施の形態に係る排水管用防草キャップ１は、図１乃至図５に示す如く、排水管の排水口に装着する筒状の本体２と、該本体の内部を遮断する遮断板３とを備えると共に、該遮蔽板３には全体に多数の細孔４を穿設したものである。そして、図中５は、本体２の外周面に穿設された環状凹溝６に嵌め込むように装着されたリング状のシーリング部材である。
【００１１】
先ず、本体２は、全体が円筒状に成形されたものであるが、これに限らず、装着される排水口の形状にあわせて四角筒状や楕円筒状などの形状であってもよい。
そして、背面寄りの外周面には、後述するリング状のシーリング部材５を嵌着させる環状凹溝６を全周に亘って穿設しているが、やはり、これに限るものではなく、シーリング部材５を挟持するように一対の突起を突設するような構成などを採ってもよい。
また、背面側の内周縁は、全周に亘って外方へ拡開するように傾斜させたテーパー面８となすことで、後方から流れてくる雨水等をスムーズに前方へ誘導できる構成となっている。
内部空間７には、該内部空間７を軸方向に遮断する円盤状の遮断板３を固定した状態で装着している。本実施例の該遮断板３は、全体に多数の細孔４を穿設した金属製の円盤であるが、例えば、細目の樹脂製メッシュ部材や金網などでも構成することが可能である。また細孔４の形状も丸穴形状に限るものではなく、四角穴形状などを採用することも可能である。
【００１２】
本体２の環状凹溝６には外側からリング状のシーリング部材５が嵌着されている。該シーリング部材５は、ゴム製のものであって、本実施の形態では１つだけ本体２に装着されているが、これに限らず、例えば、複数のシーリング部材５を間隔を空けて本体２の外周面に装着すれば、本体２を排水口に一層安定した状態で装着できるようになるので、このような構成にすることも実施に応じて任意である。
なお、シーリング部材５がリング状であることは、排水口の内周面に隙間なく密着させることができるというメリットがある。
【００１３】
ここで、法面工事現場における擁壁への一般的な排水管の設置状態を説明すると、図６に示す如く、この種の排水管１０は、擁壁２０を貫通した状態で擁壁２０内に埋設されるものである。
排水管１０の一端側の排水口１１は、擁壁２０の外部へ露出させ、他端側の集水口１２は、擁壁２０の裏面を貫通して、土砂流出防止用の裏込め石３０に接するものであるが、排水管１０内への土砂の流入を一層に防止するためにフィルター１３が装着されることもある。
【００１４】
このように、集水口１２側については、フィルター１３を装着するなどして土地４０側からの土砂流出防止が考慮されている場合があるが、排水口１１側にあっては、何らの考慮もなく、筒状の排水管１０がむき出し状態で設置されているのが実情である。
このため、排水管１０は、長年の使用により排水口１１から植物の種子５０が入り込み、図示する如く、排水管１０内に植物５１が生えてしまうことが多々ある。こうなると、排水管１０は、本来の排水効果を発揮することができず、排水管としての役目を果たせなくなる。また、植物５１が生えることで排水管１０自体が破損したり、外側に伸びた植物５１により擁壁２０全体の見栄えを大きく損なうことにもなってしまう。
【００１５】
そこで、本考案に係る防草キャップ１を、図７に示す如く、排水管１０の排水口１１へ外側から嵌め込むように装着すると、図８に示す如く、本体２は、外周面に装着されたシーリング部材５が排水口１１の内周面に密着した状態で排水口１１内に装着されるので、外部から植物の種子５０が入り込む経路は本体２の内部空間７のみとなる。
【００１６】
然しながら、本体２の内部空間７は、遮断板３の存在により軸方向に遮断されているため、図８に二点鎖線で示すごとく、外部から植物の種子５０が入り込むことが防止される。
なお、土地４０側から排水管１０を通して流出してくる雨水６０等は、同図に二点鎖線で示す通り、遮断板３の全体に穿設された多数の細孔４を通して遮断板３を通過させることができるので、排水口１１から問題なく外部へ排出することができる。
【００１７】
なお、排水管１１をメンテナンスする際は、本実施の形態に係る防草キャップ１を排水口１１から容易に取り外すことが可能である。すなわち、本体２のシーリング部材５は、排水口１１の内周面に着脱可能に密着しているものであり、固定されているものではないので、本体２を手作業により容易に排水口１１から取り外すことができるのである。
従って、本実施の形態に係る防草キャップ１は、排水管１０のメンテナンスが完了したら、再び排水口１１へ装着することも容易であるし、古くなった当該防草キャップ１を新品に交換することも容易であるので、排水管１０のメンテナンスには頗る至便なものとなる。
【図面の簡単な説明】
【００１８】
【図１】本考案の第一実施の形態に係る排水管用防草キャップを正面側から示す斜視図である。
【図２】本考案の第一実施の形態に係る排水管用防草キャップを背面側から示す斜視図である。
【図３】本考案の第一実施の形態に係る排水管用防草キャップを示す正面図である。
【図４】本考案の第一実施の形態に係る排水管用防草キャップを示す側面図である。
【図５】図３のＡ−Ａ線断面図である。
【図６】一般的な排水管の設置状態を示す説明図である。
【図７】本考案の第一実施の形態に係る排水管用防草キャップの装着方法を示す説明図である。
【図８】本考案の第一実施の形態に係る排水管用防草キャップを装着した状態を示す説明図である。
【符号の説明】
【００１９】
１  排水管用防草キャップ
２  本体
３  遮断板
４  細孔
５  シーリング部材
６  環状凹溝
７  内部空間
８  テーパー面
１０  排水管
１１  排水口
１２  集水口
１３  フィルタ
２０  擁壁
３０  裏込め石
４０  土地
５０  種子
５１  植物
６０  雨水
【図１】
0003148088.tif 000003
【図２】
0003148088.tif 000004
【図３】
0003148088.tif 000005
【図４】
0003148088.tif 000006
【図５】
0003148088.tif 000007
【図６】
0003148088.tif 000008
【図７】
0003148088.tif 000009
【図８】
0003148088.tif 000010